(57)【要約】【課題】１のディスプレイを異なる角度から観測する観測者に対して、別々の音声を聞かせることを可能とする音声出力装置およびこれを用いた２視野ディスプレイ並びにベールビューディスプレイに関する。【解決手段】音声出力装置１００は、（ｉ）上記出力手段から相対的に遠ざかる位置から上記ディスプレイを観測している観測者に聞かせることを意図した音声に、ドップラー効果の逆変換をかけた周波数を有し、（ｉｉ）上記出力手段に相対的に近づく位置にはドップラー効果によって超音波として伝達される音声、を出力する音源（出力手段）１と、音源（出力手段）１を移動させる音源駆動部（移動手段）２と、を備える。【選択図】図１
2007243245.tif 000002
【特許請求の範囲】
【請求項１】
以下の（ｉ）（ｉｉ）を満たす音声
（ｉ）出力手段から相対的に遠ざかる位置にいる観測者に聞かせることを意図した音声に、ドップラー効果の逆変換をかけた周波数を有する音声であって、
（ｉｉ）上記出力手段に相対的に近づく位置にはドップラー効果によって超音波として伝達される音声、
を出力する出力手段と、上記出力手段を移動させる移動手段と、を備えることを特徴とする音声出力装置。
【請求項２】
２個１組の上記出力手段を１組以上備え、当該１組を構成する出力手段同士は互いに逆方向に移動可能であることを特徴とする請求項１に記載の音声出力装置。
【請求項３】
請求項１または２に記載の音声出力装置を備えることを特徴とする２視野ディスプレイ。
【請求項４】
請求項１または２に記載の音声出力装置を備えることを特徴とするベールビューディスプレイ。
【発明の詳細な説明】
【技術分野】
【０００１】
本発明は、音声出力装置およびこれを用いた２視野ディスプレイ装置並びにベールビューディスプレイ装置に関し、特に、ドップラー効果を利用して、１のディスプレイを異なる角度から観測する観測者に対して、別々の音声を聞かせることを可能とする音声出力装置およびこれを用いた２視野ディスプレイ並びにベールビューディスプレイに関する。
【背景技術】
【０００２】
これまで長年にわたって、ディスプレイは、観察者がディスプレイに対して異なる角度から同じ良好な画質で見ることができるように、複数のユーザ向けに設計され、最適化されてきたが、最近、複数の観察者がディスプレイに対して異なる角度から同じ良好な画質で見ることができ、個々の観察者が同じディスプレイから異なる画像を見ることができるディスプレイ（２視野ディスプレイ）が開発されている（特許文献１）。
【０００３】
２視野ディスプレイは、一般的な液晶ディスプレイの上に「視差バリア」と呼ばれるフィルタを設け、バックライトからの光の向きを左右に分離させることで、右から見たときと左から見たときとで異なる画像を表示することができ、それぞれの表示内容が交じり合うことなく、クリアに表示することができる。これにより、１つの画面で複数の利用者に最適な情報やコンテンツの提供が可能となったため、液晶テレビをはじめ、モニターやノートパソコン、携帯電話などの利用シーンの多様化と、情報・コンテンツの拡大によって、利用者が必要な情報、コンテンツだけを見たいというニーズに応えうる技術として期待されている。
【０００４】
また、携帯電話やノートパソコン等のモバイル機器において、周囲からの覗き込みを防ぎ、利用者以外が表示内容を閲覧することを防ぐため、電気的なオン／オフの切り替えにより、ディスプレイの表示を広視野角と狭視野角に切り替えることが可能なベールビューディスプレイも開発されている（特許文献２）。
【特許文献１】特開２００４−２０６０８９号公報（平成１６（２００４）年７月２２日公開）
【特許文献２】特開２００５−２７４７７７号公報（平成１７（２００５）年１０月６日公開）
【発明の開示】
【発明が解決しようとする課題】
【０００５】
しかしながら、従来の２視野ディスプレイでは、上述のように同じディスプレイを右から見たときと左から見たときとで異なる画像を表示することはできるが、音声を左右別々に出力することはできないという問題点がある。すなわち、画像については視差バリアを使って左右別々の画像を表示することはできるが、音声はバリアを用いても左右に分離することは不可能である。
【０００６】
音声を左右に分離する方法としては、例えば左右の画面それぞれに対応した音声を同時に出力する方法がある。しかしながら、この方法では左右両方の音声が同時に出力されるため、複数の観察者に対し、それぞれが見ている互いに異なる画像に対応した音声だけを聞かせることはできない。
【０００７】
また、用途に応じて、左側の音声だけを出力したり、右側の音声だけを出力したりする方法がある。例えば、カーナビゲーションシステムにおいて、運転手側にナビゲーション画面を表示し、助手席側にＤＶＤやテレビの画像を表示している場合に、ナビゲーション画面側には必要なときだけ音声を出力し、通常はＤＶＤやテレビの音声を出力するような場合である。しかしながら、この場合、ナビゲーション画面側に音声を出力している間は、助手席側にはＤＶＤやテレビの画像が表示されているにもかかわらず音声はカットされることになるため、快適な視聴が妨げられてしまう。
【０００８】
そのため、実際には複数の観察者はヘッドホンやイヤホン等を用いて、互いの所望の音声が重ならないようにするしかないのが現状であり、不便であるため、２視野ディスプレイの用途拡大にあたって阻害要因となりかねない。
【０００９】
また、ベールビューディスプレイでは、ディスプレイの表示を狭視野角に切り替えた場合に、狭視野角の外にいる人に別々の音声を聞かせたい場合も考えうるが、そのような用途は実現できていないのが現状である。
【００１０】
本発明は上記の問題点に鑑みてなされたものであり、その目的は、１のディスプレイを異なる角度から観測する観測者に対して、別々の音声を聞かせることを可能とする音声出力装置およびこれを用いた２視野ディスプレイ、並びにベールビューディスプレイを提供することにある。
【課題を解決するための手段】
【００１１】
本発明者は、上記課題に鑑み鋭意検討した結果、音源を移動させることによって生じるドップラー効果を利用することにより、例えば２視野ディスプレイに表示される互いに異なる画像の観測者に対してそれぞれの画像に対応した音声を聞かせることのように、１のディスプレイを異なる角度から観測する観測者に対して、別々の音声を聞かせることができることを見出し、本発明を完成するに至った。
【００１２】
すなわち、本発明に係る音声出力装置は、以下の（ｉ）（ｉｉ）を満たす音声（ｉ）出力手段から相対的に遠ざかる位置にいる観測者に聞かせることを意図した音声に、ドップラー効果の逆変換をかけた周波数を有する音声であって、（ｉｉ）上記出力手段に相対的に近づく位置にはドップラー効果によって超音波として伝達される音声、を出力する出力手段と、上記出力手段を移動させる移動手段と、を備えることを特徴としている。
【００１３】
上記構成によれば、出力手段が発する音声に対してドップラー効果がかかるため、出力手段から相対的に遠ざかる位置にいる観測者には、出力手段が発する音声は、出力手段が発している音波の周波数よりも遅い周波数の音として聞こえ、出力手段に相対的に近づく位置にいる観測者には、出力手段が発している音波よりも速い周波数の音として聞こえる。
【００１４】
また、出力手段が発する音声が、上記出力手段から相対的に遠ざかる位置から上記ディスプレイを観測している観測者に聞かせることを意図した音声に対して、ドップラー効果の逆変換をかけた周波数の音声であるため、出力手段から遠ざかる観測者には、聞かせることを意図した音声として聞こえ、出力手段が近づく観測者には、出力される上記音声にドップラー効果がかかるため、人間には聞き取れない音波として伝えることができる。
【００１５】
したがって、出力手段が移動手段によって左右又は上下に移動を繰り返しながら、進行方向と逆向きの音声を交互に出力することができるため、例えば２視野ディスプレイの左右や上下から異なる画像を観測している観測者に対して、それぞれの画像に対応した異なる音声を聞かせることが可能となる。
【００１６】
また、本発明の音声出力装置は、２個１組の上記出力手段を１組以上備え、当該１組を構成する出力手段同士は互いに逆方向に移動可能であることが好ましい。
【００１７】
出力手段が１つの場合は、例えば２視野ディスプレイの異なる方向から異なる画像を見ている複数の観測者に対して、それぞれの画像に対応した異なる音声をタイムラグなく聞かせるためには、出力手段を高速で往復移動させる必要があるが、上記構成によれば、それぞれの出力手段が発する音声に対してドップラー効果がかかるため、出力手段が１つの場合ほど出力手段を高速で移動させなくても、異なる方向から異なる画像を見ている複数の観測者に対して異なる音声をタイムラグなく聞かせることができる。したがって、出力手段にかかる動作上の負担を軽減しつつ、観測者に対して必要な音声をより確実に聞かせることができる。
【００１８】
また、本発明の２視野ディスプレイは、本発明に係る音声出力装置を備えることを特徴としている。上記構成によれば、二つの視野に別々の画像を表示できるとともに、各画像の観測者に対して、各画像に対応した別々の音声を聞かせることができるので、上述した従来の２視野ディスプレイが持つ問題点を克服することができる。したがって、２視野ディスプレイの性能と利便性をさらに向上させることができる。
【００１９】
また、本発明のベールビューディスプレイは、本発明に係る音声出力装置を備えることを特徴としている。ベールビューディスプレイでは、視野角特性を切り替えてディスプレイを狭視野角特性化した場合は、当該狭視野角内にいる人でなければ表示されている画像を見ることはできないが、上記構成によれば、出力手段から相対的に遠ざかる人に対してのみ音声を聞かせることができるので、狭視野角の外にいる人に対して画像は見せずに音声を聞かせるような場合に対応することができる。したがって、ベールビューディスプレイの用途の拡大に寄与することができる。
【発明の効果】
【００２０】
以上のように、本発明に係る音声出力装置は、以下の（ｉ）（ｉｉ）を満たす音声（ｉ）出力手段から相対的に遠ざかる位置にいる観測者に聞かせることを意図した音声に、ドップラー効果の逆変換をかけた周波数を有する音声であって、（ｉｉ）上記出力手段に相対的に近づく位置にはドップラー効果によって超音波として伝達される音声、を出力する出力手段と、上記出力手段を移動させる移動手段と、を備える構成である。
【００２１】
それゆえ、例えば２視野ディスプレイに表示される互いに異なる画像の観測者に対してそれぞれの画像に対応した音声を聞かせることのように、１のディスプレイを異なる角度から観測する観測者に対して、別々の音声を聞かせることができるという効果を奏する。
【発明を実施するための最良の形態】
【００２２】
本発明の実施の形態について図１から図５に基づいて説明すれば以下のとおりであるが、本発明はこれに限定されるものではない。
【００２３】
〔１．音声出力装置〕
図１は、本実施の形態に係る音声出力装置１００の概略構成を示す平面図である。図１に示すように、音声出力装置１００は、音源（出力手段）１、音源駆動部（移動手段）２を備えて構成されている。以下では、音声出力装置１００は、左からディスプレイを見た場合と右からディスプレイを見た場合とで異なる画像が表示される２視野ディスプレイにおいて、それぞれの画像に対応する音声を出力するものとして説明する。
【００２４】
音源（出力手段）１は、以下の（ｉ）（ｉｉ）を満たす音声（ｉ）出力手段から相対的に遠ざかる位置にいる観測者に聞かせることを意図した音声に、ドップラー効果の逆変換をかけた周波数を有する音声であって、（ｉｉ）上記出力手段に相対的に近づく位置にはドップラー効果によって超音波として伝達される音声、を出力する。
【００２５】
音源（出力手段）１としては、特に限定されるものではなく、従来公知のスピーカー、例えば平板スピーカーやコーンスピーカー等を用いることができる。また、音源（出力手段）１は、発振器やアンプ等を備えていてもよい。音源（出力手段）１の大きさも特に限定されるものではないが、例えば、携帯電話やカーナビゲーションシステム等の用途に対応させる場合は、できるだけ小型の音源であることが好ましい。また、図１に示す実施形態では、出力手段は一つあれば足りるので、装置の小型化を図ることができる。
【００２６】
ここで、ドップラー効果とは、媒質中を音源が移動することで、音源が発している音の周波数と、実際に聞こえる音の周波数が異なる現象のことである。一直線上を音源と観測者が媒質に対してｉ´ｓ、ｉ´０の速度で動くとき（音源から観測者に向かう方向を正とする）、音源の出す音波の周波数をｆ、観測者に聞こえる音波の周波数をｆ´、音速をＶとすると、
f´=f×((V-i´0)/(V-i´s))・・・式１
となる。したがって、例えば音源（出力手段）１がαの速度で右方向に移動している場合、音源（出力手段）１の左側（すなわち音源（出力手段）１から相対的に遠ざかる位置）にいる観測者Ａには、音源（出力手段）１が発している音波の周波数よりも遅い周波数βで聞こえ、音源（出力手段）１の右側（すなわち音源（出力手段）１に相対的に近づく位置）にいる観測者Ｂには、音源（出力手段）１が発している音波よりも速い周波数γで聞こえることになる。
【００２７】
ここで、周波数γが人間には聞こえない周波数（いわゆる超音波：２０ｋＨｚ〜２００ＭＨｚ）であり、周波数βが本来観測者に聞かせたい音声の周波数であれば、音源（出力手段）１の左側にいる観測者にだけ意図した音声を聞かせることができる。
【００２８】
逆に、音源（出力手段）１がα´の速度で左方向に移動している場合、音源（出力手段）１の右側（すなわち音源（出力手段）１から相対的に遠ざかる位置）にいる観測者には、音源（出力手段）１が発している音波の周波数よりも遅い周波数β´で聞こえ、音源（出力手段）１の右側（すなわち音源（出力手段）１に相対的に近づく位置）にいる観測者には、音源（出力手段）１が発している音波よりも速い周波数γ´で聞こえることになる。
【００２９】
同様に、周波数γ´が人間には聞こえない周波数（いわゆる超音波：２０ｋＨｚ〜２００ＭＨｚ）であり、周波数β´が本来観測者に聞かせたい音声の周波数であれば、音源（出力手段）１の右側にいる観測者にだけ意図した音声を聞かせることができる。
【００３０】
つまり、周波数α、α´は、本来観測者に聞かせることを意図した音声に対してドップラー効果の逆変換をかけた周波数であり、さらに、音源（出力手段）１が移動することにより、音源（出力手段）１に相対的に近づく位置にいる観測者には聞き取れない超音波として伝達される周波数である。そして、上記式（１）より、音源（出力手段）１の移動速度と、音源（出力手段）１の出力する周波数との組み合わせによって、上記の周波数β、γ、β´、γ´を出力することができる。
【００３１】
このように、音源（出力手段）１が左右に高速移動を繰り返しながら、右向けの音声と左向けの音声とを交互に出力することで、左右の観測者に対して、それぞれの観測者が見ている画像に対応した別々の音声を聞かせることが可能となる。
【００３２】
なお、以上の説明では、音源（出力手段）１が左右に移動する場合について述べたが、２視野ディスプレイが上からディスプレイを見た場合と下からディスプレイを見た場合とで異なる画像が表示されるものである場合は、移動方向は上下にすればよい。
【００３３】
音源駆動部（移動手段）２は、上記音源（出力手段）１を移動させるためのものである。音源駆動部（移動手段）２としては、特に限定されるものではなく、例えば音源（出力手段）１を進行させたい方向に敷設したレール状の移動手段や、索条等を用いればよい。そして、当該音源駆動部（移動手段）２に音源（出力手段）１を載置し、所望の方向に移動させる。音源（出力手段）１を移動させるための力としては、従来公知のモーター等（図示せず）を用いて発生させた動力を従来公知の方法で音源（出力手段）１に伝達すればよい。
【００３４】
音声出力装置１００が備える音源（出力手段）１は１つであってもよい。音源（出力手段）１が１つの場合、音源（出力手段）１は、上記（ｉ）（ｉｉ）を満たす音声を出力しながら往復運動することにより、音声出力装置１００から相対的に遠ざかる位置にいる観測者に対して、意図した音声を聞かせることができる。一方、音声出力装置１００に相対的に近づく位置にいる観測者には超音波が到達するため、音は聞こえない。
【００３５】
したがって、音源（出力手段）１が１つの場合は、音声出力装置１００から相対的に遠ざかる位置にいる観測者にのみ音が聞こえるので、２視野ディスプレイの異なる画像を観察している観測者の双方に対して音声を途切らせることなく伝達できる速度で音源（出力手段）１を往復移動させる必要がある。
【００３６】
音源（出力手段）１は、音源駆動部（移動手段）２の終端部に到達後、進行方向を切り替えて逆方向に進行させるようにしてもよいし、音源駆動部（移動手段）２が例えばエンドレスレールのようになっている場合は進行方向を切り替える必要はない。
【００３７】
このように、音源（出力手段）１は１つであっても構わないが、２個１組の音源（出力手段）を１組以上備え、当該１組を構成する出力手段同士が互いに逆方向に移動可能であることが好ましい。
【００３８】
図２は、２個１組の音源（出力手段）１ａ，１ｂを１組備える音声出力装置１０１の概略構成を示す平面図である。図２において、音声出力装置１０１は、音源（出力手段）１ａ，１ｂと、音源駆動部（移動手段）２ａ、２ｂとを備えて構成されている。音源（出力手段）１ａと１ｂとは、音源駆動部（移動手段）２ａ、２ｂによって互いに逆方向に進行する。音源（出力手段）１ａと１ｂが発する音声に対しては、それぞれにドップラー効果がかかるので、出力手段が１つの場合ほど出力手段を高速で移動させなくても、異なる方向から異なる画像を見ている複数の観測者に対して異なる音声をタイムラグなく聞かせることができる。
【００３９】
図２に示すように、音源（出力手段）１ａが右に、音源（出力手段）１ｂが左に動く場合は、２視野ディスプレイの異なる画面を見ている観測者Ａ，Ｂに対しては、音源（出力手段）１から発せられた音声は、ドップラー効果がかかった結果、意図する音声として観測者Ａに聞かれ、観測者Ｂには、ドップラー効果がかかった結果、超音波として伝達されるので聞こえない。また、音源（出力手段）１ｂから発せられた音声は、ドップラー効果がかかった結果、意図する音声として観測者Ｂに聞かれ、観測者Ａには、ドップラー効果がかかった結果、超音波として伝達されるので聞こえない。音源（出力手段）１ａ、１ｂがそれぞれ音源駆動部（移動手段）２ａ、２ｂの終端部に到着すると、音源（出力手段）１は左へ、音源（出力手段）１ｂは右へ進行し、それぞれ観測者Ｂ，Ａに意図した音声を聞かせることになる。
【００４０】
なお、図２においては音源（出力手段）１ａが右に、音源（出力手段）１ｂが左に動く場合について説明したが、これに限られるものではなく、例えば音源（出力手段）１ａが左に、音源（出力手段）１ｂが右に動くものであってもよい。また、２視野ディスプレイが上からディスプレイを見た場合と下からディスプレイを見た場合とで異なる画像が表示されるものである場合は、移動方向は上下にすればよい。さらに、図２では、音源駆動部（移動手段）は２ａ、２ｂの２つを備えて構成されているが、音源駆動部（移動手段）２ａと２ｂの終端部がそれぞれ連結され、エンドレスレールのようになっていてもよい。この場合は、音源駆動部（移動手段）は１つで足りる。
【００４１】
図３は、２個１組の音源（出力手段）を２組備える音声出力装置１０２の概略構成を示す平面図である。図３において、音声出力装置１０２は、音源（出力手段）１ｃ〜１ｆと、音源駆動部（移動手段）２ｃ〜２ｆとを備えて構成されている。音源（出力手段）１ｃ、１ｄは１組の音源（出力手段）であり、それぞれ音源駆動部（移動手段）２ｃ、２ｄによって互いに逆方向に移動可能である。また、音源（出力手段）１ｅ、１ｆは１組の音源（出力手段）であり、それぞれ音源駆動部（移動手段）２ｅ，２ｆによって互いに逆方向に移動可能である。この場合において、音源（出力手段）１ｃおよび１ｄは観測者Ａに聞かせることを意図した音声に、音源（出力手段）１ｅおよび１ｆは観測者Ｂに聞かせることを意図した音声にそれぞれドップラー効果の逆変換をかけた周波数を有する音声を出力する。
【００４２】
図３において、例えば音源（出力手段）１ｃが上記音声を出力しながら右に進行中の場合、同時に１ｄは左に進行し、１ｄの音声の出力は停止されている。そして、音源（出力手段）１ｃが音源駆動部（移動手段）２ｃの右側の終端部に到達した時に音源（出力手段）１ｄが音源駆動部（移動手段）２ｄの左側の終端部に到達するように１ｄを進行させ、１ｃと１ｄがそれぞれ上記終端部に到達した時に１ｃの音声出力を停止し、１ｄの音声出力を開始する。次に、１ｄは観測者Ａに聞かせることを意図した音声にドップラー効果の逆変換をかけた周波数を有する音声を出力しながら右に進行し、１ｃは音声の出力を停止されたまま、左に進行する。その後１ｃ、１ｄは以上の動作を繰り返すことにより、観測者Ａに意図した音声を聞かせることができる。
【００４３】
このとき、音源（出力手段）１ｃおよび１ｄから発せられた音声は、ドップラー効果がかかった結果、観測者Ａには意図した音声として聞かれ、観測者Ｂには、ドップラー効果がかかった結果、超音波として伝達されるので聞こえないことになる。
【００４４】
また、図３において、音源（出力手段）１ｃまたは１ｄが上記音声を出力しながら右に進行中の場合、１ｅまたは１ｆのうち一方は、観測者Ｂに聞かせることを意図した音声にドップラー効果の逆変換をかけた周波数を有する音声を出力しながら左に進行し、他方は音声の出力を停止されたまま、右に進行する。
【００４５】
例えば１ｅが左に進行し、１ｆが右に進行している場合、１ｅが音源駆動部（移動手段）２ｅの左側の終端部に到達した時に１ｆが音源駆動部（移動手段）２ｆの右側の終端部に到達するように１ｆを進行させ、１ｅと１ｆがそれぞれ上記終端部に到達した時に１ｅの音声出力を停止し、１ｆの音声出力を開始する。そして、１ｆは観測者Ｂに聞かせることを意図した音声にドップラー効果の逆変換をかけた周波数を有する音声を出力しながら左に進行し、１ｆは音声の出力を停止されたまま、右に進行する。その後１ｅ、１ｆは以上の動作を繰り返すことにより、観測者Ｂに意図した音声を聞かせることができる。
【００４６】
このとき、音源（出力手段）１ｅおよび１ｆから発せられた音声は、ドップラー効果がかかった結果、観測者Ｂには意図した音声として聞かれ、観測者Ａには、ドップラー効果がかかった結果、超音波として伝達されるので聞こえないことになる。
【００４７】
つまり、図３に示す例では、音源（出力手段）１ｃおよび１ｄは観測者Ａ専用の音源として働き、いずれも右に進行している間に観測者Ａに意図した音声を聞かせることができ、左に進行しているときは音声を出力しない。また、音源（出力手段）１ｅおよび１ｆは観測者Ｂ専用の音源として働き、いずれも左に進行している間に観測者Ｂに意図した音声を聞かせることができ、右に進行しているときは音声を出力しない。
【００４８】
そして、音源（出力手段）１ｃ，１ｄのいずれかは常に右に進行し、音源（出力手段）１ｅ，１ｆのいずれかは常に左に進行しているので、音源（出力手段）が１つの場合のように音源（出力手段）を高速で往復移動させる必要がなく、音の切れ目が発生するリスクが小さい。また、例えば図１に示す音源（出力手段）が一つの場合や、例えば図２に示すような２個１組の上記出力手段を１組備える場合と比べて、音源（出力手段）の移動速度を低減することができるので、音源（出力手段）の動作上の負担を減らすことができる。
【００４９】
なお、上述の例では、音源（出力手段）１ｃ、１ｄは右向きに進行しているときに音声を出力し、音源（出力手段）１ｅ，１ｆは左向きに進行しているときに音声を出力するものとして説明したが、これに限られるものではなく、例えば音源（出力手段）１ｃ、１ｄが左向きに進行しているときに音声を出力し、音源（出力手段）１ｃ、１ｄが右向きに進行しているときに音声を出力するものであっても構わない。
【００５０】
また、図３では、音源駆動部（移動手段）は２ｃ〜２ｆの２つを備えて構成されているが、音源駆動部（移動手段）２ｃと２ｄの終端部、２ｅと２ｆの終端部がそれぞれ連結され、エンドレスレールのようになっていてもよい。この場合は、音源駆動部（移動手段）は２つで足りる。
【００５１】
〔２．２視野ディスプレイ〕
本発明の２視野ディスプレイは本発明の音声出力装置を備えている。２視野ディスプレイとしては、従来公知のものを用いることができ、特に限定されるものではない。例えば、上記特許文献１に記載された前方視差バリアマルチプル視野ディスプレイや、後方視差バリアマルチプル視野ディスプレイ等を用いることができる。
【００５２】
図４は、一実施形態に係る本発明の２視野ディスプレイ２００の平面図である。図４において、２視野ディスプレイ２００は、アクティブマトリクス薄膜トランジスタ（ＴＦＴ）基板２１およびカウンター基板２２を有する液晶デバイス（ＬＣＤ）の形の空間光変調器（ＳＬＭ）４０、視差バリア４１、コントローラ４２、音声出力装置４３を含む。音声出力装置４３には、音源（出力手段）４４が備えられている。ＴＦＴ基板２１とカウンター基板２２との間には、関連付けられた電極およびアラインメント層（図示せず）を適宜有する画素（ピクセル）面２３を形成する液晶層が配置されている。視角向上膜２４および偏光子２５が、基板２１および２２の外面上に設けられ、照明２６がバックライト（図示せず）から供給される。視差バリア４１は、基板２７とバリアアパーチャアレイ２８とを含み、バリアアパーチャアレイ２８がＬＣＤに隣接する表面上に形成され、反射防止（ＡＲ）コーティング２９が他方の表面上に形成される。
【００５３】
ＬＣＤのピクセルは、行方向または水平方向のピクセルピッチがｐである複数行および複数列として構成される。アパーチャアレイ２８は、スリット幅が２ｗ、かつ、水平ピッチｂの垂直な透過スリットを含む。バリアアパーチャアレイ２８の面は、ピクセル面２３から距離ｓだけ離れている。
【００５４】
使用状態では、ディスプレイ２００は、ディスプレイ２００から所望の表示距離にあるウィンドウ面において表示ウィンドウ３０および３１を形成する。ウィンドウ面は、アパーチャアレイ２８の面から距離ｒ０だけ離れている。ウィンドウ３０および３１は、ウィンドウ面において隣接し、ディスプレイ垂線から各ウィンドウ３０および３１の中心に対する半角は、αで示される。その結果、１つのディスプレイであるディスプレイ２００を観測者Ａ、Ｂが異なる角度から観測すると、観測者Ａには表示ウインドウ３０、観測者Ｂには表示ウインドウ３１が観察される。すなわち、異なる角度から１つのディスプレイ２００を観察する観測者に、別々の画像が観察される。
【００５５】
音声出力装置４３の設置場所は特に限定されるものではなく、音源（出力手段）４４が表示ウィンドウ３０および３１のそれぞれの観測者に対してドップラー効果のかかった音声を伝達可能な距離を動きうるように、ディスプレイ２００に設置すればよい。例えば図４では、音声出力装置４３は基板２１の上部に設置され、音源（出力手段）４４が図中に示す矢印の方向に進行可能とされている。
【００５６】
空間光変調器（ＳＬＭ）４０は、ピクセルの行および列を含み、コントローラ４２は、２つの視野がＳＬＭ４０の適切なピクセルによって表示されるように、表示されるための画像データを生成するか、または、他のソース、例えばコンピュータからの画像データを処理し得る。コントローラ４２は、画像データを、左画像ピクセルおよび右画像ピクセルが、各列において列方向に交互になるようにピクセルに供給する。
【００５７】
また、コントローラ４２は、上記画像データに対応する音声データを生成するか、または、他のソース、例えばコンピュータからの音声データを処理し、音声出力装置４３に出力し得る。音声出力装置４３は、当該音声データにドップラー効果の逆変換をかけ、音源（出力手段）から出力することにより、音源（出力手段）から相対的に遠ざかる位置にいる観測者に所望の音声を聞かせることができる。なお、図４では、コントローラ４２は画像データおよび音声データを生成または処理しうる態様として説明しているが、これに限られるものではなく、画像データの生成または処理を行うコントローラと、音声データの処理を行うコントローラとを別々に設けてもよい。
【００５８】
なお、２視野ディスプレイは、１のディスプレイに表示される画像が左右又は上下で異なるが、表示される画像を同じ内容にすることで通常のディスプレイとしての利用も可能である。この場合は、音声出力装置４３は、ドップラー効果の逆変換をかけずに音声を出力すればよいし、音源（出力手段）は移動させずに固定しておけばよい。
【００５９】
〔３．ベールビューディスプレイ〕
本発明のベールビューディスプレイは本発明の音声出力装置を備えている。ベールビューディスプレイとしては、従来公知のものを用いることができ、特に限定されるものではない。例えば、上記特許文献２に記載された液晶表示装置を用いることができる。
【００６０】
図５は、一実施形態に係る本発明のベールビューディスプレイ３００の要部構成を示すブロック図である。ベールビューディスプレイ３００は、図５に示すように、液晶表示パネル５１、上記液晶表示パネル５１を駆動するための、駆動信号生成部５２、視野角特性制御用パネル５３、駆動電圧生成部５４、ソース駆動回路５５、ゲート駆動回路５６を備えると共に、視野角特性制御用パネル５３を駆動するための、視野角制御部５７、第１電極駆動回路５８、第２電極駆動回路５９、コントローラ６０、音声出力装置６１を備えている。
【００６１】
上記液晶表示パネル５１は、複数の画素がマトリクス状に配置されたアクティブマトリクス型の表示パネルであり、上記ソース駆動回路５５およびゲート駆動回路５６によって、該液晶表示パネル５１の画素電極（図示せず）に駆動用の信号を供給するための信号ライン（ソースバスラインおよびゲートバスライン）に電圧が印加されることにより動作し、入力された画像データに基づいた画像を表示するようになっている。
【００６２】
上記視野角特性制御用パネル５３は、光拡散と光透過の状態を切り替える機能を有しており、これにより、液晶表示パネル５１の表示面における視野角特性を切り替えるようになっている。
【００６３】
そして、上記駆動信号生成部５２は、画像データに基づいてソース駆動回路５５およびゲート駆動回路５６を動作させる駆動用の信号を生成する回路である。この生成された信号は、それぞれソース駆動回路５５およびゲート駆動回路５６へ出力される。
【００６４】
また、上記駆動電圧生成部５４は、液晶表示パネル５１に印加する駆動用の電圧を生成する回路である。この駆動電圧生成部５４にて生成された駆動用の電圧（駆動電圧）は、ソース駆動回路５５に送られる。
【００６５】
さらに、上記ソース駆動回路５５は、上記駆動信号生成部５２からの信号と駆動電圧生成部５４で生成された駆動電圧とに基づいて液晶表示パネル５１を駆動するために、液晶表示パネル２に垂直に配置されたソースバスライン（図示せず）に電圧を印加する回路である。つまり、上記ソースバスラインには、駆動信号生成部５２からの信号に基づいた電圧が印加されることになる。
【００６６】
また、上記ゲート駆動回路５６は、上記駆動信号生成部５２からの信号に基づいて液晶表示パネル５１を駆動するために、該液晶表示パネル５１に水平に配置されたゲートバスラインにアクティブマトリクス駆動用の電圧を印加する回路である。つまり、上記ゲートバスラインには、駆動信号生成部５２からの信号に基づいて、選択的に電圧が印加されることになる。
【００６７】
上記視野角特性制御用パネル５３を駆動するための、上記視野角制御部５７は、外部から視野角特性切替信号が入力され、入力された視野角特性切替信号に基づいて視野角特性を制御する制御信号を作成し、第１電極駆動回路５８および第２電極駆動回路５９に出力するようになっている。
【００６８】
上記第１電極駆動回路５８および第２電極駆動回路５９は、それぞれ入力された制御信号に基づいて電圧を印加する電極を選択し、選択した電極に所定の電圧を印加するようになっている。
【００６９】
コントローラ６０は、上記画像データに対応する音声データを生成するか、または、他のソース、例えばコンピュータからの音声データを処理し、音声出力装置６１に出力し得る。音声出力装置６１は、当該音声データにドップラー効果の逆変換をかけ、音源（出力手段）から出力することにより、音源（出力手段）から相対的に遠ざかる位置にいる観測者に所望の音声を聞かせることができる。
【００７０】
音声出力装置６１は、視野角特性制御用パネル３が光透過状態となって、液晶表示パネル２の表示面２ａを広視野角特性化した状態では液晶表示パネル５１の表示画像を見ることができるが、視野角特性制御用パネル５３が光拡散状態（遮光状態）となって、液晶表示パネル５１の表示面を狭視野角特性化した場合には液晶表示パネル５１の表示画像を見ることができない観測者に対して、液晶表示パネル５１の上部または下部に設置すればよい。
【００７１】
このように、音声出力装置６１を備えるベールビューディスプレイ３００は、液晶表示パネル５１の表示面を狭視野角特性化した場合に表示画像を見ることができない観測者に対して、画像は見せたくないが何らかの音声を聞かせたいような場合に有効である。当該音声は、表示画像に対応した音声であってもよいし、それ以外の音声であってもよい。表示画像に対応した音声を音声出力装置６１で出力する場合は、音源（出力手段）から相対的に遠ざかる位置にいる観測者には、上記狭視野角内にいる観測者に聞かせるべき音声が聞こえてしまうことになるので、上記狭視野角内にいる観測者は、ヘッドホンやイヤホン等を用いて表示画像に対応した音声を聞くことになる。
【００７２】
なお、ベールビューディスプレイ３００は、カメラ撮影やＴＶ受像を行うときには、表示画面に表示される内容は他人に見られても特に問題の無いため、液晶表示パネル５１の表示面における視野角特性を切り替える必要はない。この場合は、液晶表示パネル５１の観測者全てに同じ音声が伝達されても構わないため、音声出力装置６１は、ドップラー効果の逆変換をかけずに音声を出力すればよいし、音源（出力手段）は移動させずに固定しておけばよい。
【産業上の利用可能性】
【００７３】
本発明の音声出力装置は、ドップラー効果を利用することにより、出力手段から相対的に遠ざかる位置にいる観測者にだけ意図した音声を聞かせることができる。それゆえ、本発明は、２視野ディスプレイやベールビューディスプレイに応用することができる。例えば右画面ではテレビ放送、左画面ではインターネット画面を表示する液晶マルチメディアモニター、運転手側は地図を表示し、助手席側はＤＶＤ映像を表示する車載用ディスプレイ、顧客には提案試料を、販売員には内部資料を提示する業務用モニター、右方向からの歩行者と左方向からの歩行者にはそれぞれ別の広告が見える広告用ディスプレイ、エスカレーターを登っている人には上階の案内を、下っている人には下階の案内を表示できるディスプレイ等の２視野ディスプレイや、ノートパソコンや携帯電話、ＡＴＭ端末等に用いられるベールビューディスプレイ等に利用することが可能である。
【図面の簡単な説明】
【００７４】
【図１】本実施の形態に係る音声出力装置の概略構成を示す平面図である。
【図２】２個１組の音源（出力手段）を１組備える音声出力装置の概略構成を示す平面図である。
【図３】２個１組の音源（出力手段）を２組備える音声出力装置の概略構成を示す平面図である。
【図４】一実施形態に係る本発明の２視野ディスプレイの平面図である。
【図５】一実施形態に係る本発明のベールビューディスプレイの要部構成を示すブロック図である。
【符号の説明】
【００７５】
１    音源（出力手段）
２    音源駆動部（移動手段）
１ａ    音源（出力手段）
１ｂ    音源（出力手段）
１ｃ    音源（出力手段）
１ｄ    音源（出力手段）
１ｅ    音源（出力手段）
１ｆ    音源（出力手段）
２ａ    音源駆動部（移動手段）
２ｂ    音源駆動部（移動手段）
２ｃ    音源駆動部（移動手段）
２ｄ    音源駆動部（移動手段）
２ｅ    音源駆動部（移動手段）
２ｆ    音源駆動部（移動手段）
４３    音声出力装置
４４    音源（出力手段）
６１    音声出力装置
１００    音声出力装置
１０１    音声出力装置
１０２    音声出力装置
２００    ２視野ディスプレイ
３００    ベールビューディスプレイ
【図１】
2007243245.tif 000003
【図２】
2007243245.tif 000004
【図３】
2007243245.tif 000005
【図４】
2007243245.tif 000006
【図５】
2007243245.tif 000007